【手続補正書】
【提出日】平成21年6月16日(2009.6.16)
【手続補正１】
【補正対象書類名】特許請求の範囲
【補正対象項目名】全文
【補正方法】変更
【補正の内容】
【特許請求の範囲】
【請求項１】
右眼用表示装置及び左眼用表示装置を有するステレオ表示装置であって、
ステレオ画像を構成する一対の表示用画像のそれぞれを受信する一対の受信手段と、
前記一対の受信手段が受信した前記一対の表示用画像の各々について、右眼用表示画像であるか左眼用表示画像であるか判別する判別手段と、
前記一対の受信手段が受信した前記一対の表示用画像を入力とし、その一方を前記右眼用表示装置へ、他方を前記左眼用表示装置へ出力可能な出力手段を有し、
前記判別手段が前記右眼用表示画像と判別した表示用画像を前記右眼用表示装置へ、前記判別手段が前記左眼用表示画像と判別した表示用画像を前記左眼用表示装置へ出力するよう、前記出力手段を制御する制御手段を有することを特徴とするステレオ表示装置。
【請求項２】
ステレオ画像を構成する一対の表示用画像をそれぞれ外部装置に送信する送信手段と、
前記一対の表示用画像のそれぞれを前記外部装置から受信する一対の受信手段と、
前記一対の受信手段が受信した前記一対の表示用画像の各々について、右眼用表示画像であるか左眼用表示画像であるか判別する判別手段と、
前記一対の受信手段が受信した前記一対の表示用画像を入力とし、その一方を前記右眼用表示装置へ、他方を前記左眼用表示装置へ出力する出力手段を有し、
前記判別手段が前記右眼用表示画像と判別した表示用画像を前記右眼用表示装置へ、前記判別手段が前記左眼用表示画像と判別した表示用画像を前記左眼用表示装置へ出力するよう、前記出力手段を制御する制御手段を有することを特徴とするステレオ表示装置。
【請求項３】
右眼用表示装置及び左眼用表示装置を有するステレオ表示装置であって、
一対の表示用画像からなるステレオ画像を撮像する撮像装置を有するステレオ撮像手段と、
前記一対の表示用画像をそれぞれ外部装置に送信する送信手段と、
前記一対の表示用画像のそれぞれを前記外部装置から受信する一対の受信手段と、
前記一対の受信手段が受信した前記一対の表示用画像の各々について、右眼用表示画像であるか左眼用表示画像であるか判別する判別手段と、
前記一対の受信手段が受信した前記一対の表示用画像を入力とし、その一方を前記右眼用表示装置へ、他方を前記左眼用表示装置へ出力可能な出力手段を有し、
前記判別手段が前記右眼用表示画像と判別した表示用画像を前記右眼用表示装置へ、前記判別手段が前記左眼用表示画像と判別した表示用画像を前記左眼用表示装置へ出力するよう、前記出力手段を制御する制御手段を有することを特徴とするステレオ表示装置。
【請求項４】
前記判別手段が、前記一対の表示用画像に含まれる付加情報から前記判別を行なうことを特徴とする請求項１乃至請求項３のいずれか１項に記載のステレオ表示装置。
【請求項５】
前記付加情報が電子透かしとして前記一対の表示用画像に埋め込まれていることを特徴とする請求項４記載のステレオ表示装置。
【請求項６】
前記付加情報が前記一対の表示画像中の表示されないエリアに埋め込まれていることを特徴とする請求項４記載のステレオ表示装置。
【請求項７】
前記判別手段が、前記一対の表示用画像を比較することにより前記判別を行なうことを特徴とする請求項１乃至請求項３のいずれか１項に記載のステレオ表示装置。
【請求項８】
前記判別手段が、前記一対の表示用画像それぞれの特定の領域内の輝度を比較することによって前記判別を行なうことを特徴とする請求項７記載のステレオ表示装置。
【請求項９】
前記判別手段が、前記一対の表示用画像それぞれの特定の領域内の色味を比較することによって前記判別を行なうことを特徴とする請求項７記載のステレオ表示装置。
【請求項１０】
前記判別手段が、前記一対の表示用画像それぞれの特定の領域内の解像度を比較することによって前記判別を行なうことを特徴とする請求項７記載のステレオ表示装置
【請求項１１】
前記判別手段が前記左眼用表示画像と判別した表示用画像に左眼用画像であることを表す情報を、前記判別手段が前記右眼用表示画像と判別した表示用画像に右眼用画像であることを表す情報をそれぞれ付加した合成画像を生成する合成手段をさらに有することを特徴とする請求項２又は請求項３記載のステレオ表示装置。
【請求項１２】
請求項１１記載のステレオ表示装置と、
前記合成画像を受信し、前記合成画像に対して予め定められた画像処理を行い、前記受信手段へ前記一対の表示用画像として出力する前記外部装置としての画像処理手段とを有することを特徴とするステレオ表示システム。
【請求項１３】
前記ステレオ撮像手段を制御して、前記一対の表示用画像のそれぞれで異なる撮像処理を行なわせる撮像制御手段をさらに有することを特徴とする請求項３記載のステレオ表示装置。
【請求項１４】
右眼用表示装置と、
左眼用表示装置と、
ステレオ画像を構成する一対の表示用画像のそれぞれを受信する一対の受信手段と、前記一対の受信手段が受信した前記一対の表示用画像の一方を前記右眼用表示装置へ、他方を前記左眼用表示装置へ出力可能な出力手段とを有するステレオ表示装置の制御方法であって、
前記一対の受信手段が、ステレオ画像を構成する一対の表示用画像のそれぞれを受信する受信工程と、
判別手段が、前記受信工程で受信された前記一対の表示用画像の各々について、右眼用表示画像であるか左眼用表示画像かを判別する判別工程と、
制御手段が、前記判別工程による判別結果と、前記出力手段の現在の入出力関係とに基づいて、前記受信工程で受信された前記一対の表示用画像のうち、前記判断工程により前記右眼用表示画像と判別された表示用画像を前記右眼用表示装置へ、前記判断工程により前記左眼用表示画像と判別された表示用画像を前記左眼用表示装置へ出力するよう、前記出力手段を制御する制御工程とを有することを特徴とするステレオ表示装置の制御方法。
【請求項１５】
ステレオ画像を構成する一対の表示用画像をそれぞれ外部装置に送信する送信手段と、
前記一対の表示用画像それぞれを受信する一対の受信手段と、前記一対の受信手段が受信した前記一対の表示用画像の一方を右眼用表示装置へ、他方を左眼用表示装置へ出力可能な出力手段とを有するステレオ表示装置の制御方法であって、
前記一対の受信手段が、ステレオ画像を構成する一対の表示用画像のそれぞれを前記外部装置から受信する受信工程と、
判別手段が、前記受信工程で受信された前記一対の表示用画像の各々について、右眼用表示画像であるか左眼用表示画像かを判別する判別工程と、
制御手段が、前記判別工程による判別結果と、前記出力手段の現在の入出力関係とに基づいて、前記受信工程で受信された前記一対の表示用画像のうち、前記判断工程により前記右眼用表示画像と判別された表示用画像を前記右眼用表示装置へ、前記判断工程により前記左眼用表示画像と判別された表示用画像を前記左眼用表示装置へ出力するよう、前記出力手段を制御する制御工程とを有することを特徴とするステレオ表示装置の制御方法。
【手続補正２】
【補正対象書類名】明細書
【補正対象項目名】００１１
【補正方法】変更
【補正の内容】
【００１１】
上述の目的は、右眼用表示装置及び左眼用表示装置を有するステレオ表示装置であって、ステレオ画像を構成する一対の表示用画像のそれぞれを受信する一対の受信手段と、一対の受信手段が受信した一対の表示用画像の各々について、右眼用表示画像であるか左眼用表示画像であるか判別する判別手段と、一対の受信手段が受信した一対の表示用画像を入力とし、その一方を右眼用表示装置へ、他方を左眼用表示装置へ出力可能な出力手段を有し、判別手段が右眼用表示画像と判別した表示用画像を右眼用表示装置へ、判別手段が左眼用表示画像と判別した表示用画像を左眼用表示装置へ出力するよう、出力手段を制御する制御手段を有することを特徴とするステレオ表示装置によって達成される。
【手続補正３】
【補正対象書類名】明細書
【補正対象項目名】００１２
【補正方法】変更
【補正の内容】
【００１２】
また、上述の目的は、ステレオ画像を構成する一対の表示用画像をそれぞれ外部装置に送信する送信手段と、一対の表示用画像のそれぞれを外部装置から受信する一対の受信手段と、一対の受信手段が受信した一対の表示用画像の各々について、右眼用表示画像であるか左眼用表示画像であるか判別する判別手段と、一対の受信手段が受信した一対の表示用画像を入力とし、その一方を右眼用表示装置へ、他方を左眼用表示装置へ出力する出力手段を有し、判別手段が右眼用表示画像と判別した表示用画像を右眼用表示装置へ、判別手段が左眼用表示画像と判別した表示用画像を左眼用表示装置へ出力するよう、出力手段を制御する制御手段を有することを特徴とするステレオ表示装置によっても達成される。
【手続補正４】
【補正対象書類名】明細書
【補正対象項目名】００１３
【補正方法】変更
【補正の内容】
【００１３】
また、上述の目的は、右眼用表示装置及び左眼用表示装置を有するステレオ表示装置であって、一対の表示用画像からなるステレオ画像を撮像する撮像装置を有するステレオ撮像手段と、一対の表示用画像をそれぞれ外部装置に送信する送信手段と、一対の表示用画像のそれぞれを外部装置から受信する一対の受信手段と、一対の受信手段が受信した一対の表示用画像の各々について、右眼用表示画像であるか左眼用表示画像であるか判別する判別手段と、一対の受信手段が受信した一対の表示用画像を入力とし、その一方を右眼用表示装置へ、他方を左眼用表示装置へ出力可能な出力手段を有し、判別手段が右眼用表示画像と判別した表示用画像を右眼用表示装置へ、判別手段が左眼用表示画像と判別した表示用画像を左眼用表示装置へ出力するよう、出力手段を制御する制御手段を有することを特徴とするステレオ表示装置によっても達成される。
【手続補正５】
【補正対象書類名】明細書
【補正対象項目名】００１４
【補正方法】変更
【補正の内容】
【００１４】
また、上述の目的は、右眼用表示装置と、左眼用表示装置と、ステレオ画像を構成する一対の表示用画像のそれぞれを受信する一対の受信手段と、一対の受信手段が受信した一対の表示用画像の一方を右眼用表示装置へ、他方を左眼用表示装置へ出力可能な出力手段とを有するステレオ表示装置の制御方法であって、一対の受信手段が、ステレオ画像を構成する一対の表示用画像のそれぞれを受信する受信工程と、判別手段が、受信工程で受信された一対の表示用画像の各々について、右眼用表示画像であるか左眼用表示画像かを判別する判別工程と、制御手段が、判別工程による判別結果と、出力手段の現在の入出力関係とに基づいて、受信工程で受信された一対の表示用画像のうち、判断工程により右眼用表示画像と判別された表示用画像を右眼用表示装置へ、判断工程により左眼用表示画像と判別された表示用画像を左眼用表示装置へ出力するよう、出力手段を制御する制御工程とを有することを特徴とするステレオ表示装置の制御方法によっても達成される。
【手続補正６】
【補正対象書類名】明細書
【補正対象項目名】００１５
【補正方法】変更
【補正の内容】
【００１５】
また、上述の目的は、ステレオ画像を構成する一対の表示用画像をそれぞれ外部装置に送信する送信手段と、一対の表示用画像それぞれを受信する一対の受信手段と、一対の受信手段が受信した一対の表示用画像の一方を右眼用表示装置へ、他方を左眼用表示装置へ出力可能な出力手段とを有するステレオ表示装置の制御方法であって、一対の受信手段が、ステレオ画像を構成する一対の表示用画像のそれぞれを外部装置から受信する受信工程と、判別手段が、受信工程で受信された一対の表示用画像の各々について、右眼用表示画像であるか左眼用表示画像かを判別する判別工程と、制御手段が、判別工程による判別結果と、出力手段の現在の入出力関係とに基づいて、受信工程で受信された一対の表示用画像のうち、判断工程により右眼用表示画像と判別された表示用画像を右眼用表示装置へ、判断工程により左眼用表示画像と判別された表示用画像を左眼用表示装置へ出力するよう、出力手段を制御する制御工程とを有することを特徴とするステレオ表示装置の制御方法によっても達成される。